(57)【特許請求の範囲】
【請求項１】
容量性負荷を含む複数の放電セルを選択的に放電させて画像を表示する表示装置であって、
選択された放電セルを放電させるための駆動パルスの電圧が各放電セルの放電開始電圧以上になり最大ピーク電圧に達した後、前記放電開始電圧より低くなり、振動的に減衰するように、前記駆動パルスをオーバーシュートさせる駆動手段と、
前記複数の放電セルの点灯率を検出する検出手段とを備え、
前記駆動手段は、
一端が前記容量性負荷に接続される少なくとも１つのインダクタンス素子を有するインダクタンス手段と、
前記容量性負荷と前記インダクタンス素子とのＬＣ共振により前記駆動パルスをオーバーシュートさせる共振駆動手段と、
前記インダクタンス素子の他端の電圧を変化させることにより前記駆動パルスのオーバーシュート波形の振幅を変化させる可変電圧手段とを含み、
前記可変電圧手段は、前記検出手段により検出された点灯率が大きいほど前記オーバーシュート波形の振幅が大きくなるように前記インダクタンス素子の前記他端の電圧を変化させることを特徴とする表示装置。
【請求項２】
容量性負荷を含む複数の放電セルを選択的に放電させて画像を表示する表示装置であって、
選択された放電セルを放電させるための駆動パルスの電圧が各放電セルの放電開始電圧以上になり最大ピーク電圧に達した後、前記放電開始電圧より低くなり、振動的に減衰するように、前記駆動パルスをオーバーシュートさせる駆動手段と、
前記複数の放電セルの点灯率を検出する検出手段とを備え、
前記駆動手段は、
一端が前記容量性負荷に接続される少なくとも１つのインダクタンス素子を有するインダクタンス手段と、
前記容量性負荷と前記インダクタンス素子とのＬＣ共振により前記駆動パルスをオーバーシュートさせる共振駆動手段と、
前記インダクタンス手段のインダクタンス値を変化させることにより前記駆動パルスのオーバーシュート波形の最大ピーク電圧から次のピーク電圧までの周期を変化させる可変インダクタンス手段とを備え、
前記可変インダクタンス手段は、前記検出手段により検出された点灯率が大きいほど前記オーバーシュート波形の前記周期が大きくなるように前記インダクタンス手段のインダクタンス値を変化させることを特徴とする表示装置。
【請求項３】
容量性負荷を含む複数の放電セルを選択的に放電させて画像を表示する表示装置であって、
選択された放電セルを放電させるための駆動パルスの電圧が各放電セルの放電開始電圧以上になり最大ピーク電圧に達した後、前記放電開始電圧より低くなり、振動的に減衰するように、前記駆動パルスをオーバーシュートさせる駆動手段と、
基礎駆動パルスを出力する基礎駆動手段と、
前記複数の放電セルの点灯率を検出する検出手段とを備え、
前記駆動手段は、前記基礎駆動パルスに前記駆動パルスを重畳して出力し、
前記駆動手段は、
一端が前記容量性負荷に接続される少なくとも１つの第１のインダクタンス素子を有するインダクタンス手段と、
前記容量性負荷と前記第１のインダクタンス素子とのＬＣ共振により前記駆動パルスをオーバーシュートさせる共振駆動手段と、
前記第１のインダクタンス素子の他端の電圧を変化させることにより前記駆動パルスのオーバーシュート波形の振幅を変化させる可変電圧手段とを含み、
前記基礎駆動手段は、
一端が前記容量性負荷に接続される第２のインダクタンス素子と、
前記容量性負荷と前記第２のインダクタンス素子とのＬＣ共振により前記基礎駆動パルスを遷移させる共振基礎駆動手段とを含み、
前記可変電圧手段は、前記検出手段により検出された点灯率が大きいほど前記オーバーシュート波形の振幅が大きくなるように前記第１のインダクタンス素子の前記他端の電圧を変化させることを特徴とする表示装置。
【請求項４】
１フィールドを複数のサブフィールドに分割してサブフィールドごとに選択された放電セルを放電させて階調表示を行うために、１フィールドの画像データを各サブフィールドの画像データに変換する変換手段をさらに備え、
前記検出手段は、サブフィールドごとの点灯率を検出し、
前記可変電圧手段は、前記サブフィールドごとの点灯率に応じて前記駆動パルスのオーバーシュート波形の振幅を変化させることを特徴とする請求項１または３記載の表示装置。
【請求項５】
１フィールドを複数のサブフィールドに分割してサブフィールドごとに選択された放電セルを放電させて階調表示を行うために、１フィールドの画像データを各サブフィールドの画像データに変換する変換手段をさらに備え、
前記検出手段は、サブフィールドごとの点灯率を検出し、
前記可変インダクタンス手段は、前記サブフィールドごとの点灯率に応じて前記駆動パルスのオーバーショート波形の前記周期を変化させることを特徴とする請求項４記載の表示装置。
【請求項６】
容量性負荷を含む複数の放電セルを選択的に放電させて画像を表示する表示装置の駆動方法であって、
前記複数の放電セルの点灯率を検出するステップと、
前記容量性負荷と一端が前記容量性負荷に接続される少なくとも１つのインダクタンス素子とのＬＣ共振により、選択された放電セルを放電させるための駆動パルスの電圧が各放電セルの放電開始電圧以上になり最大ピーク電圧に達した後、前記放電開始電圧より低くなり、振動的に減衰するように、前記駆動パルスをオーバーシュートさせるステップと、
前記検出された点灯率が大きいほど前記駆動パルスのオーバーシュート波形の振幅が大きくなるように前記インダクタンス素子の他端の電圧を変化させるステップとを含むことを特徴とする表示装置の駆動方法。
【請求項７】
容量性負荷を含む複数の放電セルを選択的に放電させて画像を表示する表示装置の駆動方法であって、
前記複数の放電セルの点灯率を検出するステップと、
前記容量性負荷と一端が前記容量性負荷に接続される少なくともインダクタンス素子を有するインダクタンス手段とのＬＣ共振により、選択された放電セルを放電させるための駆動パルスの電圧が各放電セルの放電開始電圧以上になり最大ピーク電圧に達した後、前記放電開始電圧より低くなり、振動的に減衰するように、前記駆動パルスをオーバーシュートさせるステップと、
前記検出された点灯率が大きいほど前記駆動パルスの前記オーバーシュート波形の最大ピーク電圧から次のピーク電圧までの周期が大きくなるように前記インダクタンス手段のインダクタンス値を変化させるステップとを含むことを特徴とする表示装置の駆動方法。
【請求項８】
容量性負荷を含む複数の放電セルを選択的に放電させて画像を表示する表示装置の駆動方法であって、
前記複数の放電セルの点灯率を検出するステップと、
前記容量性負荷と一端が前記容量性負荷に接続される少なくとも１つの第１のインダクタンス素子とのＬＣ共振により、選択された放電セルを放電させるための駆動パルスの電圧が各放電セルの放電開始電圧以上になり最大ピーク電圧に達した後、前記放電開始電圧より低くなり、振動的に減衰するように、前記駆動パルスをオーバーシュートさせるステップと、
前記容量性負荷と一端が前記容量性負荷に接続される第２のインダクタンス素子とのＬＣ共振により基礎駆動パルスを遷移させるステップと、
前記基礎駆動パルスに前記駆動パルスを重畳して出力するステップと、
前記検出された点灯率が大きいほど前記出力される駆動パルスのオーバーシュート波形の振幅が大きくなるように前記第１のインダクタンス素子の他端の電圧を変化させるステップとを備えたことを特徴とする表示装置の駆動方法。
【発明の詳細な説明】
【０００１】
【発明の属する技術分野】
本発明は、複数の放電セルを選択的に放電させて画像を表示する表示装置およびその駆動方法に関するものである。
【０００２】
【従来の技術】
ＰＤＰ（プラズマディスプレイパネル）を用いたプラズマディスプレイ装置は、薄型化および大画面化が可能であるという利点を有する。このプラズマディスプレイ装置では、画素を構成する放電セルの放電の際の発光を利用することにより画像を表示している。
【０００３】
図１６は、ＡＣ型ＰＤＰにおける放電セルの駆動方法を説明するための図である。図１６に示すように、ＡＣ型ＰＤＰの放電セルにおいては、対向する電極３０１，３０２の表面がそれぞれ誘電体層３０３，３０４で覆われている。
【０００４】
図１６の（ａ）に示すように、電極３０１，３０２間に放電開始電圧よりも低い電圧を印加した場合には、放電が起こらない。図１６の（ｂ）に示すように、電極３０１，３０２間に放電開始電圧よりも高いパルス状の電圧（書き込みパルス）を印加すると、放電が発生する。放電が発生すると、負電荷は電極３０１の方向に進んで誘電体層３０３の壁面に蓄積され、正電荷は電極３０２の方向に進んで誘電体層３０４の壁面に蓄積される。誘電体層３０３，３０４の壁面に蓄積された電荷を壁電荷と呼ぶ。また、この壁電荷により誘起された電圧を壁電圧と呼ぶ。
【０００５】
図１６の（ｃ）に示すように、誘電体層３０３の壁面には負の壁電荷が蓄積され、誘電体層３０４の壁面には正の壁電荷が蓄積される。この場合、壁電圧の極性は外部印加電圧の極性と逆向きであるため、放電の進行に従って放電空間内における実効電圧が低下し、放電は自動的に停止する。
【０００６】
図１６の（ｄ）に示すように、外部印加電圧の極性を反転させると、壁電圧の極性が外部印加電圧の極性と同じ向きになるため、放電空間内における実効電圧が高くなる。このときの実効電圧が放電開始電圧を超えると、逆極性の放電が発生する。それにより、正電荷が電極３０１の方向に進み、すでに誘電体層３０３に蓄積されている負の壁電荷を中和し、負電荷が電極３０２の方向に進み、すでに誘電体層３０４に蓄積されている正の壁電荷を中和する。
【０００７】
そして、図１６の（ｅ）に示すように、誘電体層３０３，３０４の壁面にそれぞれ正および負の壁電荷が蓄積される。この場合、壁電圧の極性が外部印加電圧の極性と逆向きであるため、放電の進行に従って放電空間内における実効電圧が低下し、放電が停止する。
【０００８】
さらに、図１６の（ｆ）に示すように、外部印加電圧の極性を反転させると、逆極性の放電が発生し、負電荷は電極３０１の方向に進み、正電荷は電極３０２の方向に進み、図１６の（ｃ）の状態に戻る。
【０００９】
このように、高い書き込みパルスを印加することにより一旦放電が開始された後は、壁電荷の働きによりこの書き込みパルスよりも低い外部印加電圧（維持パルス）の極性を反転させることにより放電を維持させることができる。書き込みパルスを変化することにより放電を開始させることをアドレス放電と呼び、交互に反転する維持パルスを印加することにより放電を維持させることを維持放電と呼ぶ。
【００１０】
上記のＰＤＰに用いられる維持パルスの一例として、特開平１０−３３３６３５号公報に開示される維持パルスがある。図１７は、上記公報に記載される維持パルスのパルス波形を示す図である。
【００１１】
図１７に示す維持パルスでは、パネル外に設置された容量素子、インダクタンス素子および抵抗素子等からなる駆動回路を用い、容量成分とインダクタンス成分とによって生じる共振によりオーバーシュート波形を形成している。この駆動波形の最初のオーバーシュートが、短時間かつ高電位の波形となり、維持放電における放電開始電圧を超える電圧となる。この結果、最初のオーバーシュートにより放電が発生し、この維持パルスを周期的に放電セルに与えることにより維持放電を行うことができる。
【００１２】
【発明が解決しようとする課題】
しかしながら、容量素子とインダクタンス素子とのＬＣ共振による維持パルスを維持放電に用いた場合、ＰＤＰの点灯率が高くなって同時に複数の放電セルが維持放電を行うと、十分な放電電流を供給することができず、安定な維持放電を行うことができなかった。
【００１３】
本発明の目的は、放電セルの点灯率が変化しても、常に安定に放電を行うことができる表示装置およびその駆動方法を提供することである。
【００１４】
【課題を解決するための手段】
（１）第１の発明
第１の発明に係る表示装置は、容量性負荷を含む複数の放電セルを選択的に放電させて画像を表示する表示装置であって、選択された放電セルを放電させるための駆動パルスの電圧が各放電セルの放電開始電圧以上になり最大ピーク電圧に達した後、放電開始電圧より低くなり、振動的に減衰するように、駆動パルスをオーバーシュートさせる駆動手段と、複数の放電セルの点灯率を検出する検出手段とを備え、駆動手段は、一端が容量性負荷に接続される少なくとも１つのインダクタンス素子を有するインダクタンス手段と、容量性負荷とインダクタンス素子とのＬＣ共振により駆動パルスをオーバーシュートさせる共振駆動手段と、インダクタンス素子の他端の電圧を変化させることにより駆動パルスのオーバーシュート波形の振幅を変化させる可変電圧手段とを含み、可変電圧手段は、検出手段により検出された点灯率が大きいほどオーバーシュート波形の振幅が大きくなるようにインダクタンス素子の他端の電圧を変化させるものである。
【００１５】
本発明に係る表示装置においては、駆動パルスの電圧が放電開始電圧以上になるように駆動パルスをオーバーシュートさせるとともに、放電セルの点灯率を検出し、検出された点灯率に応じて駆動パルスのオーバーシュート波形を変化させている。したがって、放電セルの点灯率に応じた最適なオーバーシュート波形で駆動パルスを出力することができるので、点灯率が変化しても常に十分な放電電流を供給することができる。この結果、放電セルの点灯率が変化しても、常に安定に放電を行うことができる。
【００１６】
この場合、点灯率に応じて駆動パルスのオーバーシュート波形の振幅を変化させることにより、放電開始電圧に対する駆動パルスのオーバーシュート量を調整することができ、点灯率に応じた最適な放電電流を供給することができる。
【００１７】
また、容量性負荷とインダクタンス素子とのＬＣ共振により駆動パルスをオーバーシュートさせているので、少ない消費電力で駆動パルスを放電開始電圧以上に遷移させることができる。
【００１８】
さらに、点灯率に応じてインダクタンス素子の他端の電圧を変化させることができるので、簡略な回路構成で駆動パルスのオーバーシュート波形の振幅を変化させることができる。
【００１９】
（２）第２の発明
第２の発明に係る表示装置は、容量性負荷を含む複数の放電セルを選択的に放電させて画像を表示する表示装置であって、選択された放電セルを放電させるための駆動パルスの電圧が各放電セルの放電開始電圧以上になり最大ピーク電圧に達した後、放電開始電圧より低くなり、振動的に減衰するように、駆動パルスをオーバーシュートさせる駆動手段と、複数の放電セルの点灯率を検出する検出手段とを備え、駆動手段は、一端が容量性負荷に接続される少なくとも１つのインダクタンス素子を有するインダクタンス手段と、容量性負荷とインダクタンス素子とのＬＣ共振により駆動パルスをオーバーシュートさせる共振駆動手段と、インダクタンス手段のインダクタンス値を変化させることにより駆動パルスのオーバーシュート波形の最大ピーク電圧から次のピーク電圧までの周期を変化させる可変インダクタンス手段とを備え、可変インダクタンス手段は、検出手段により検出された点灯率が大きいほどオーバーシュート波形の周期が大きくなるようにインダクタンス手段のインダクタンス値を変化させるものである。
【００２０】
本発明に係る表示装置においては、駆動パルスの電圧が放電開始電圧以上になるように駆動パルスをオーバーシュートさせるとともに、放電セルの点灯率を検出し、検出された点灯率に応じて駆動パルスのオーバーシュート波形を変化させている。したがって、放電セルの点灯率に応じた最適なオーバーシュート波形で駆動パルスを出力することができるので、点灯率が変化しても常に十分な放電電流を供給することができる。この結果、放電セルの点灯率が変化しても、常に安定に放電を行うことができる。
【００２１】
この場合、点灯率に応じて駆動パルスのオーバーシュート波形の周期を変化させることにより、放電開始電圧を超える駆動パルスの期間の長さを調整することができ、点灯率に応じた最適な放電電流を供給することができる。
【００２２】
また、容量性負荷とインダクタンス素子とのＬＣ共振により駆動パルスをオーバーシュートさせているので、少ない消費電力で駆動パルスを放電開始電圧以上に遷移させることができる。
【００２３】
さらに、点灯率に応じてインダクタンス値を変化させることができるので、簡略な回路構成で駆動パルスのオーバーシュート波形の周期を変化させることができる。
【００２４】
（３）第３の発明
第３の発明に係る表示装置は、容量性負荷を含む複数の放電セルを選択的に放電させて画像を表示する表示装置であって、選択された放電セルを放電させるための駆動パルスの電圧が各放電セルの放電開始電圧以上になり最大ピーク電圧に達した後、放電開始電圧より低くなり、振動的に減衰するように、駆動パルスをオーバーシュートさせる駆動手段と、基礎駆動パルスを出力する基礎駆動手段と、複数の放電セルの点灯率を検出する検出手段とを備え、駆動手段は、基礎駆動パルスに駆動パルスを重畳して出力し、駆動手段は、一端が容量性負荷に接続される少なくとも１つの第１のインダクタンス素子を有するインダクタンス手段と、容量性負荷と第１のインダクタンス素子とのＬＣ共振により駆動パルスをオーバーシュートさせる共振駆動手段と、第１のインダクタンス素子の他端の電圧を変化させることにより駆動パルスのオーバーシュート波形の振幅を変化させる可変電圧手段とを含み、基礎駆動手段は、一端が容量性負荷に接続される第２のインダクタンス素子と、容量性負荷と第２のインダクタンス素子とのＬＣ共振により基礎駆動パルスを遷移させる共振基礎駆動手段とを含み、可変電圧手段は、検出手段により検出された点灯率が大きいほどオーバーシュート波形の振幅が大きくなるように第１のインダクタンス素子の他端の電圧を変化させることを特徴とするものである。
【００２５】
本発明に係る表示装置においては、駆動パルスの電圧が放電開始電圧以上になるように駆動パルスをオーバーシュートさせるとともに、放電セルの点灯率を検出し、検出された点灯率に応じて駆動パルスのオーバーシュート波形を変化させている。したがって、放電セルの点灯率に応じた最適なオーバーシュート波形で駆動パルスを出力することができるので、点灯率が変化しても常に十分な放電電流を供給することができる。この結果、放電セルの点灯率が変化しても、常に安定に放電を行うことができる。
【００２６】
この場合、点灯率に応じて駆動パルスのオーバーシュート波形の振幅を変化させることにより、放電開始電圧に対する駆動パルスのオーバーシュート量を調整することができ、点灯率に応じた最適な放電電流を供給することができる。
【００２７】
また、容量性負荷と第１のインダクタンス素子とのＬＣ共振により駆動パルスをオーバーシュートさせているので、少ない消費電力で駆動パルスを放電開始電圧以上に遷移させることができる。
【００２８】
また、点灯率に応じて第１のインダクタンス素子の他端の電圧を変化させることにより駆動パルスの振幅を変更することができるので、簡略な回路構成で駆動パルスのオーバーシュート波形の振幅を変化させることができる。
【００２９】
さらに、２段階で放電開始電圧以上に駆動パルスを遷移させることができ、消費電力を低減することができるとともに、駆動パルスおよび／または基礎駆動パルスの波形を変化させることができるので、点灯率に応じたより最適な駆動パルスを出力することができる。
【００３０】
（４）第４の発明
第４の発明に係る表示装置は、第１または３の発明に係る表示装置の構成において、１フィールドを複数のサブフィールドに分割してサブフィールドごとに選択された放電セルを放電させて階調表示を行うために、１フィールドの画像データを各サブフィールドの画像データに変換する変換手段をさらに備え、検出手段は、サブフィールドごとの点灯率を検出し、可変電圧手段は、サブフィールドごとの点灯率に応じて駆動パルスのオーバーシュート波形の振幅を変化させることを特徴とするものである。
【００３１】
この場合、サブフィールドごとに点灯率を検出して駆動パルスのオーバーシュート波形を変化させているので、サブフィールドごとに放電セルの点灯率が変化しても、常に安定に放電を行うことができる。
【００３２】
（５）第５の発明
第５の発明に係る表示装置は、第２の発明に係る表示装置の構成において、１フィールドを複数のサブフィールドに分割してサブフィールドごとに選択された放電セルを放電させて階調表示を行うために、１フィールドの画像データを各サブフィールドの画像データに変換する変換手段をさらに備え、検出手段は、サブフィールドごとの点灯率を検出し、可変インダクタンス手段は、サブフィールドごとの点灯率に応じて駆動パルスのオーバーショート波形の周期を変化させるものである。
【００３３】
この場合、サブフィールドごとに点灯率を検出して駆動パルスのオーバーシュート波形を変化させているので、サブフィールドごとに放電セルの点灯率が変化しても、常に安定に放電を行うことができる。
【００３４】
（６）第６の発明
第６の発明に係る表示装置の駆動方法は、容量性負荷を含む複数の放電セルを選択的に放電させて画像を表示する表示装置の駆動方法であって、複数の放電セルの点灯率を検出するステップと、容量性負荷と一端が容量性負荷に接続される少なくとも１つのインダクタンス素子とのＬＣ共振により、選択された放電セルを放電させるための駆動パルスの電圧が各放電セルの放電開始電圧以上になり最大ピーク電圧に達した後、放電開始電圧より低くなり、振動的に減衰するように、駆動パルスをオーバーシュートさせるステップと、検出された点灯率が大きいほど駆動パルスのオーバーシュート波形の振幅が大きくなるようにインダクタンス素子の他端の電圧を変化させるステップとを含むものである。
【００３５】
本発明に係る表示装置の駆動方法においては、駆動パルスの電圧が放電開始電圧以上になるように駆動パルスをオーバーシュートさせるとともに、放電セルの点灯率を検出し、検出された点灯率に応じて駆動パルスのオーバーシュート波形を変化させている。したがって、放電セルの点灯率に応じた最適なオーバーシュート波形で駆動パルスを出力することができるので、点灯率が変化しても常に十分な放電電流を供給することができる。この結果、放電セルの点灯率が変化しても、常に安定に放電を行うことができる。
【００３６】
この場合、点灯率に応じて駆動パルスのオーバーシュート波形の振幅を変化させることにより、放電開始電圧に対する駆動パルスのオーバーシュート量を調整することができ、点灯率に応じた最適な放電電流を供給することができる。
【００３７】
また、容量性負荷とインダクタンス素子とのＬＣ共振により駆動パルスをオーバーシュートさせているので、少ない消費電力で駆動パルスを放電開始電圧以上に遷移させることができる。
【００３８】
さらに、点灯率に応じてインダクタンス素子の他端の電圧を変化させることができるので、簡略な回路構成で駆動パルスのオーバーシュート波形の振幅を変化させることができる。
【００３９】
（７）第７の発明
第７の発明に係る表示装置の駆動方法は、容量性負荷を含む複数の放電セルを選択的に放電させて画像を表示する表示装置の駆動方法であって、複数の放電セルの点灯率を検出するステップと、容量性負荷と一端が容量性負荷に接続される少なくとも１つのインダクタンス素子を有する可変インダクタンス手段とのＬＣ共振により、選択された放電セルを放電させるための駆動パルスの電圧が各放電セルの放電開始電圧以上になり最大ピーク電圧に達した後、放電開始電圧より低くなり、振動的に減衰するように、駆動パルスをオーバーシュートさせるステップと、検出された点灯率が大きいほど駆動パルスのオーバーシュート波形の最大ピーク電圧から次のピーク電圧までの周期が大きくなるようにインダクタンス手段のインダクタンス値を変化させるステップとを含むものである。
【００４０】
本発明に係る表示装置の駆動方法においては、駆動パルスの電圧が放電開始電圧以上になるように駆動パルスをオーバーシュートさせるとともに、放電セルの点灯率を検出し、検出された点灯率に応じて駆動パルスのオーバーシュート波形を変化させている。したがって、放電セルの点灯率に応じた最適なオーバーシュート波形で駆動パルスを出力することができるので、点灯率が変化しても常に十分な放電電流を供給することができる。この結果、放電セルの点灯率が変化しても、常に安定に放電を行うことができる。
【００４１】
この場合、点灯率に応じて駆動パルスのオーバーシュート波形の周期を変化させることにより、放電開始電圧を超える駆動パルスの期間の長さを調整することができ、点灯率に応じた最適な放電電流を供給することができる。
【００４２】
また、容量性負荷とインダクタンス素子とのＬＣ共振により駆動パルスをオーバーシュートさせているので、少ない消費電力で駆動パルスを放電開始電圧以上に遷移させることができる。
【００４３】
さらに、点灯率に応じてインダクタンス値を変化させることができるので、簡略な回路構成で駆動パルスのオーバーシュート波形の周期を変化させることができる。
【００４４】
（８）第８の発明
第８の発明に係る表示装置の駆動方法は、容量性負荷を含む複数の放電セルを選択的に放電させて画像を表示する表示装置の駆動方法であって、複数の放電セルの点灯率を検出するステップと、容量性負荷と一端が容量性負荷に接続される少なくとも１つの第１のインダクタンス素子とのＬＣ共振により、選択された放電セルを放電させるための駆動パルスの電圧が各放電セルの放電開始電圧以上になり最大ピーク電圧に達した後、放電開始電圧より低くなり、振動的に減衰するように、駆動パルスをオーバーシュートさせるステップと、容量性負荷と一端が容量性負荷に接続される第２のインダクタンス素子とのＬＣ共振により基礎駆動パルスを遷移させるステップと、基礎駆動パルスに駆動パルスを重畳して出力するステップと、検出された点灯率が大きいほど出力される駆動パルスのオーバーシュート波形の振幅が大きくなるように第１のインダクタンス素子の他端の電圧を変化させるステップとを備えたものである。
【００４５】
本発明に係る表示装置の駆動方法においては、駆動パルスの電圧が放電開始電圧以上になるように駆動パルスをオーバーシュートさせるとともに、放電セルの点灯率を検出し、検出された点灯率に応じて駆動パルスのオーバーシュート波形を変化させている。したがって、放電セルの点灯率に応じた最適なオーバーシュート波形で駆動パルスを出力することができるので、点灯率が変化しても常に十分な放電電流を供給することができる。この結果、放電セルの点灯率が変化しても、常に安定に放電を行うことができる。
【００４６】
この場合、点灯率に応じて駆動パルスのオーバーシュート波形の振幅を変化させることにより、放電開始電圧に対する駆動パルスのオーバーシュート量を調整することができ、点灯率に応じた最適な放電電流を供給することができる。
【００４７】
また、容量性負荷と第１のインダクタンス素子とのＬＣ共振により駆動パルスをオーバーシュートさせているので、少ない消費電力で駆動パルスを放電開始電圧以上に遷移させることができる。
【００４８】
また、点灯率に応じて第１のインダクタンス素子の他端の電圧を変化させることにより駆動パルスの振幅を変更することができるので、簡略な回路構成で駆動パルスのオーバーシュート波形の振幅を変化させることができる。
【００４９】
さらに、２段階で放電開始電圧以上に駆動パルスを遷移させることができ、消費電力を低減することができるとともに、駆動パルスおよび／または基礎駆動パルスの波形を変化させることができるので、点灯率に応じたより最適な駆動パルスを出力することができる。
【００５０】
【発明の実施の形態】
以下、本発明に係る表示装置の一例としてＡＣ型プラズマディスプレイ装置について説明する。図１は、本発明の一実施の形態によるプラズマディスプレイ装置の構成を示すブロック図である。
【００５１】
図１のプラズマディスプレイ装置は、Ａ／Ｄコンバータ（アナログ・デジタル変換器）１、映像信号−サブフィールド対応付け器２、サブフィールド処理器３、サブフィールド点灯率測定器４、データドライバ５、スキャンドライバ６、サステインドライバ７およびＰＤＰ（プラズマディスプレイパネル）８を備える。
【００５２】
Ａ／Ｄコンバータ１には、映像信号ＶＤが入力される。Ａ／Ｄコンバータ１は、アナログの映像信号ＶＤをデジタルの画像データに変換し、映像信号−サブフィールド対応付け器２へ出力する。映像信号−サブフィールド対応付け器２は、１フィールドを複数のサブフィールドに分割して表示するため、１フィールドの画像データから各サブフィールドの画像データＳＰを作成し、サブフィールド処理器３およびサブフィールド点灯率測定器４へ出力する。サブフィールド処理器３は、サブフィールドごとの画像データＳＰ等からデータドライバ駆動制御信号ＤＳ、スキャンドライバ駆動制御信号ＣＳおよびサステインドライバ駆動制御信号ＵＳを作成し、それぞれデータドライバ５、スキャンドライバ６およびサステインドライバ７へ出力する。
【００５３】
ＰＤＰ８は、複数のアドレス電極（データ電極）１１、複数のスキャン電極（走査電極）１２および複数のサステイン電極（維持電極）１３を含む。複数のアドレス電極１１は、画面の垂直方向に配列され、複数のスキャン電極１２および複数のサステイン電極１３は、画面の水平方向に配列されている。また、複数のサステイン電極１３は、共通に接続されている。アドレス電極１１、スキャン電極１２およびサステイン電極１３の各交点には、放電セル１４が形成され、各放電セル１４が画面上の画素を構成する。
【００５４】
データドライバ５は、ＰＤＰ８の複数のアドレス電極１１に接続されている。スキャンドライバ６は、各スキャン電極１２ごとに設けられた駆動回路を内部に備え、各駆動回路がＰＤＰ８の対応するスキャン電極１２に接続されている。サステインドライバ７は、ＰＤＰ８の複数のサステイン電極１３に接続されている。
【００５５】
データドライバ２は、データドライバ駆動制御信号ＤＳに従い、書き込み期間において、画像データＳＰに応じてＰＤＰ８の該当するアドレス電極１１に書き込みパルスを印加する。スキャンドライバ６は、スキャンドライバ駆動制御信号ＣＳに従い、書き込み期間において、シフトパルスを垂直走査方向にシフトしつつＰＤＰ８の複数のスキャン電極１２に書き込みパルスを順に印加する。これにより、該当する放電セルにおいてアドレス放電が行われる。
【００５６】
また、スキャンドライバ６は、スキャンドライバ駆動制御信号ＣＳに従い、維持期間において、周期的な維持パルスをＰＤＰ８の複数のスキャン電極１２に印加する。一方、サステインドライバ７は、サステインドライバ駆動制御信号ＵＳに従い、維持期間において、ＰＤＰ８の複数のサステイン電極１３にスキャン電極１２の維持パルスに対して１８０度位相のずれた維持パルスを同時に印加する。これにより、該当する放電セル１４において維持放電が行われる。
【００５７】
サブフィールド点灯率測定器４は、サブフィールドごとの画像データＳＰから、ＰＤＰ８上で同時に駆動される放電セル１４の点灯率を検出し、サブフィールド点灯率信号ＳＬをスキャンドライバ６およびサステインドライバ７へ出力する。スキャンドライバ６およびサステインドライバ７は、後述するように、サブフィールド点灯率信号ＳＬに応じて維持パルスのオーバーシュート波形を変化させる。
【００５８】
図１に示すプラズマディスプレイ装置では、階調表示駆動方式として、ＡＤＳ（Address Display-Period Separation ：アドレス・表示期間分離）方式が用いられている。図２は、図１に示すプラズマディスプレイ装置に適用されるＡＤＳ方式を説明するための図である。
【００５９】
ＡＤＳ方式では、１フィールド（１／６０秒＝１６．６７ｍｓ）を複数のサブフィールドに時間的に分割する。例えば、８ビットで２５６階調表示を行う場合には、１フィールドを８つのサブフィールドＳＦ１〜ＳＦ８に分割する。また、各サブフィールドＳＦ１〜ＳＦ８は、セットアップ期間Ｐ１、書き込み期間Ｐ２、維持期間Ｐ３に分離され、セットアップ期間Ｐ１において各サブフィールドのセットアップ処理が行われ、書き込み期間Ｐ２において点灯される放電セル１４を選択するためのアドレス放電が行われ、維持期間Ｐ３において表示のための維持放電が行われる。
【００６０】
セットアップ期間Ｐ１において、サステイン電極１３に単一パルスが加えられ、スキャン電極１２（図２ではスキャン電極の本数としてｎ本が表示されているが、実際には、例えば４８０本のスキャン電極が用いられる）にもそれぞれ単一パルスが加えられる。これにより予備放電が行われる。
【００６１】
書き込み期間Ｐ２においては、スキャン電極１２が順次走査され、アドレス電極１１からパルスを受けた放電セル１４だけに所定の書き込み処理が行われる。これによりアドレス放電が行われる。
【００６２】
維持期間Ｐ３においては、各サブフィールドＳＦ１〜ＳＦ８に重み付けされた値に応じた維持パルスがサステイン電極１３およびスキャン電極１２へ出力される。例えば、サブフィールドＳＦ１では、サステイン電極１３に維持パルスが１回印加され、走査電極１２に維持パルスが１回印加され、書き込み期間Ｐ２において選択された放電セル１４が２回維持放電を行う。また、サブフィールドＳＦ２では、サステイン電極１３に維持パルスが２回印加され、スキャン電極１２に維持パルスが２回印加され、書き込み期間Ｐ２において選択された放電セル１４が４回維持放電を行う。
【００６３】
上記のように、各サブフィールドＳＦ１〜ＳＦ８では、サステイン電極１３およびスキャン電極１２に１回、２回、４回、８回、１６回、３２回、６４回、１２８回維持パルスが印加され、パルス数に応じた明るさで放電セルが発光する。すなわち、維持期間Ｐ３は、書き込み期間Ｐ２で選択された放電セル１４が明るさの重み付け量に応じた回数で放電する期間である。
【００６４】
このように、サブフィールドＳＦ１〜ＳＦ８では、それぞれ、１、２、４、８、１６、３２、６４、１２８の明るさの重み付けがなされ、これらのサブフィールドＳＦ１〜ＳＦ８を組み合わせることにより、明るさのレベルを０〜２５５までの２５６段階で調整することができる。なお、サブフィールドの分割数および重み付け値等は、上記の例に特に限定されず、種々の変更が可能であり、例えば、動画疑似輪郭を低減するために、サブフィールド８を二つに分割して二つのサブフィールドの重み付け値を６４に設定してもよい。
【００６５】
本実施の形態では、スキャンドライバ６およびサステインドライバ７が駆動手段および基礎駆動手段に相当し、サブフィールド点灯率測定器４が検出手段に相当し、映像信号−サブフィールド対応付け器２が変換手段に相当する。
【００６６】
次に、図１に示すプラズマディスプレイパネル装置に適用されるサステインドライバの第１の例について説明する。図３は、図１に示すプラズマディスプレイパネル装置に適用されるサステインドライバの第１の例の構成を示す回路図である。なお、スキャンドライバについても以下のサステインドライバと同様に構成することにより、スキャン電極１３に印加される維持パルスのオーバーシュート波形を制御して同様の効果を得ることができるので、スキャンドライバに関する詳細な説明を省略し、サステインドライバ７についてのみ以下詳細に説明する。
【００６７】
図３に示すサステインドライバは、オーバーシュート回路ＯＳ、ＦＥＴ（電界効果型トランジスタ、以下トランジスタと称する）Ｑ３を含む。オーバーシュート回路ＯＳは、トランジスタＱ１，Ｑ２、回収コンデンサＣ１、回収コイルＬ１，Ｌ２、ダイードＤ１〜Ｄ４および可変電圧源ＶＲ１，ＶＲ２を含む。
【００６８】
トランジスタＱ３は、一端が接地端子に接続され、他端がノードＮ１に接続され、ゲートには制御信号Ｓ３が入力される。ノードＮ１は、例えば、４８０本のサステイン電極１３に接続されているが、図３では、複数のサステイン電極１３と接地端子との間の全容量に相当するパネル容量Ｃｐが示されている。なお、この点に関しては、以下の他のサステインドライバについても同様である。
【００６９】
回収コイルＬ１の一端はノードＮ１に接続され、他端がノードＮ２に接続される。回収コイルＬ２の一端はノードＮ１に接続され、他端がダイオードＤ４のカソードに接続され、ダイオードＤ４のアノードがノードＮ２に接続される。
【００７０】
トランジスタＱ１は、一端がノードＮ３に接続され、他端がダイオードＤ１のアノードに接続され、ゲートには制御信号Ｓ１が入力される。ダイオードＤ１のカソードはノードＮ２に接続される。ダイオードＤ２のアノードはノードＮ２に接続される。トランジスタＱ２は、一端がダイオードＤ２のカソードに接続され、他端がノードＮ４に接続され、ゲートには制御信号Ｓ２が入力される。
【００７１】
可変電圧源ＶＲ１は、ノードＮ３とノードＮ４との間に接続される。回収コンデンサＣ１の一端は接地端子に接続され、他端がノードＮ４に接続される。可変抵抗ＶＲ２の一端は接地端子に接続され、他端がダイオードＤ３のアノードに接続される。ダイオードＤ３のカソードはノードＮ４に接続される。可変電圧源ＶＲ１，ＶＲ２は、維持パルスＰｓｕの最大ピーク電圧（理論値）をＶｓｕｓとすると、初期値としてＶｓｕｓ／４の電圧を出力し、サブフィールド点灯率信号ＳＬに応じて出力電圧を変化させる。
【００７２】
本例では、回収コイルＬ１，Ｌ２およびダイオードＤ４がインダクタンス手段に相当し、トランジスタＱ１，Ｑ２、ダイオードＤ１〜Ｄ３、回収コンデンサＣ１および可変電圧源ＶＲ１，ＶＲ２が共振駆動手段に相当し、可変電圧源ＶＲ１，ＶＲ２が可変電圧手段に相当し、回収コイルＬ１，Ｌ２がインダクタンス素子に相当し、回収コンデンサＣ１が第１の電荷回収手段に相当する。
【００７３】
また、本例では、回収コンデンサＣ１が電荷回収手段に相当し、回収コイルＬ１，Ｌ２、トランジスタＱ１，Ｑ２、ダイオードＤ１〜Ｄ４および可変電圧源ＶＲ１，ＶＲ２がオーバーシュート手段に相当し、可変電圧源ＶＲ１が電圧供給手段に相当し、可変電圧源ＶＲ２が補助電荷供給手段に相当する。
【００７４】
図４は、図３に示すサステインドライバの維持期間の動作を示すタイミング図である。図４には、図３のノードＮ１の電圧（維持パルスＰｓｕ）およびトランジスタＱ１〜Ｑ３に入力される制御信号Ｓ１〜Ｓ３が示される。なお、制御信号Ｓ１〜Ｓ３は、サステインドライバ駆動制御信号ＵＳとしてサブフィールド処理器３から出力される信号である。
【００７５】
まず、期間ＴＡにおいて、制御信号Ｓ１がハイレベルになりトランジスタＱ１がオンし、制御信号Ｓ３がロウレベルになりトランジスタＱ３がオフする。このとき、制御信号Ｓ２はロウレベルにあり、トランジスタＱ２がオフしている。したがって、可変電圧源ＶＲ１がトランジスタＱ１およびダイオードＤ１を介してノードＮ２に接続され、回収コイルＬ１，Ｌ２およびパネル容量ＣｐによるＬＣ共振によりノードＮ１の電圧が滑らかに上昇する。
【００７６】
ここで、ダイオードＤ４が回収コイルＬ２と直列に接続されているが、回収コイルＬ２に流れる電流は制限されず、回収コイルＬ１，Ｌ２がともにＬＣ共振動作に寄与する。したがって、回収コイルＬ１のインダクタンス値より小さい回収コイルＬ１，Ｌ２の合成インダクタンス値によりＬＣ共振が発生し、ＬＣ共振の周期が短くなり、ノードＮ１の電圧が急峻に上昇する。
【００７７】
また、ノードＮ３の電圧は、可変電圧源ＶＲ１の電圧Ｖｓｕｓ／４と可変電圧源ＶＲ２の電圧Ｖｓｕｓ／４とが加算され、Ｖｓｕｓ／２に設定されている。したがって、ノードＮ１の電圧が、放電開始電圧Ｖｓｔを超え、Ｖｓｕｓ／２の２倍の電圧すなわちＶｓｕｓまで理論的には上昇する。ただし、回路内の抵抗成分によるエネルギー損失により電圧降下を起こし、ノードＮ１の電圧は、Ｖｓｕｓよりやや低い値となる（なお、実際には放電により放電開始電圧Ｖｓｔをやや越える電圧までしか上昇しない）。ノードＮ１の電圧が放電開始電圧Ｖｓｔを超えると、放電セル１４の維持放電が開始され、放電電流が上昇し始める。また、このとき、回収コンデンサＣ１の電荷が放出される。
【００７８】
最大ピーク電圧に達した後、ノードＮ１の電圧は反転し、放電開始電圧Ｖｓｔより低くなる。このとき、放電電流は、ノードＮ１の電圧が最大ピーク電圧に達してからやや遅れてから極大値をとるとともに、そのタイミングにはノードＮ１の電圧がすでにピーク値より低くなっているため、従来の駆動回路による放電電流よりもその極大値が抑えられる。したがって、より少ない消費電力で維持放電を行うことが可能となる。以降、維持パルスＰｓｕは振動的に減衰しながら、Ｖｓｕｓ／２に収束する。
【００７９】
次に、期間ＴＢにおいて、制御信号Ｓ１がロウレベルになりトランジスタＱ１がオフし、制御信号Ｓ２がハイレベルになりトランジスタＱ２がオンする。したがって、可変電圧源ＶＲ１および回収コンデンサＣ１がダイオードＤ２およびトランジスタＱ２を介してノードＮ２に接続され、回収コイルＬ１およびパネル容量ＣｐによるＬＣ共振によりノードＮ１の電圧が滑らかに降下する。
【００８０】
ここで、ダイオードＤ４が回収コイルＬ２と直列に接続されているため、回収コイルＬ２に流れる電流が制限され、回収コイルＬ１のみがＬＣ共振動作に寄与する。したがって、回収コイルＬ１，Ｌ２の合成インダクタンス値より大きい回収コイルＬ１のインダクタンス値によりＬＣ共振が発生し、ＬＣ共振の周期が長くなり、ノードＮ１の電圧が緩やかに降下する。
【００８１】
また、ノードＮ４の電圧は、可変電圧源ＶＲ２の電圧すなわちＶｓｕｓ／４に設定されている。したがって、ノードＮ１の電圧は、理論的には、Ｖｓｕｓ／２から降下し接地電位に達するが、実際には、上記と同様に回路内の抵抗成分によるエネルギー損失により接地電位までは立ち下がらない。また、このとき、パネル容量Ｃｐに蓄えられた電荷は、回収コンデンサＣ１に蓄えられ、電荷の回収が行われる。
【００８２】
次に、期間ＴＣにおいて、制御信号Ｓ２がロウレベルになりトランジスタＱ２がオフし、制御信号Ｓ３がハイレベルになりトランジスタＱ３がオンする。したがって、ノードＮ１が接地端子に接続され、ノードＮ１の電圧が急激に降下し、接地電位に固定される。
【００８３】
上記の動作を維持期間において繰り返し行うことにより、オーバーシュート波形を有する周期的な維持パルスＰｓｕを複数のサステイン電極１３に印加することができる。
【００８４】
ここで、図３に示すサステインドライバについて放電効率および電荷回収効率の観点から説明する。オーバーシュート波形を駆動パルスに用いることによりＰＤＰの放電効率を向上することができるが、インダクタンス素子等を用いたオーバーシュート回路により大きなオーバーシュート波形を出力するためには、インダクタンス素子の両端の電圧差を大きくしなければならない。一方、インダクタンス素子等から構成される従来の電力回収回路による駆動パルスにオーバーシュート波形を重畳しようとすると、電力回収回路によりほぼ放電開始電圧まで電荷が放電セルに蓄積されてしまうので、大きなオーバーシュート波形を発生させることができない。このため、大きなオーバーシュート波形を生成するためには、電力回収回路の回収効率を低下させて電力回収回路からの放電セルへの電荷の蓄積を減少させる必要がある。したがって、オーバーシュート波形を用いて放電効率を向上しても、ＰＤＰの充放電電力の増大をもたらし、消費電力を増大させることとなる。
【００８５】
図３に示すサステインドライバは、上記のような課題を解消することができる。すなわち、ＰＤＰ８の放電セル１４すなわちパネル容量Ｃｐに蓄えられた電荷は、維持パルスＰｓｕの立ち下がり時にトランジスタＱ２がオンすることにより引き出されて回収コンデンサＣ１に蓄えられる。一方、維持パルスＰｓｕの立ち上がり時は、トランジスタＱ１がオンしてＰＤＰ８の放電セル１４を駆動する。このとき、回収コイルＬ１，Ｌ２には、トランジスタＱ１を介して、回収コンデンサＣ１に蓄えられた電荷による電圧と可変電圧源ＶＲ１により発生される電圧とが加算された電圧が印加される。
【００８６】
したがって、従来の電力回収回路と比較すると、可変電圧源ＶＲ１が発生する電圧が新たに加えられ、トランジスタＱ１が回収コイルＬ１，Ｌ２およびパネル容量Ｃｐを駆動することになる。この結果、可変電圧源ＶＲ１の電圧により大きなオーバーシュート波形を安定に発生されることが可能となる。また、このとき、回収コンデンサＣ１により回収された電荷も、オーバーシュート波形の生成に用いられるので、回収された電荷を有効に活用することができる。
【００８７】
また、オーバーシュート波形の印加によって放電セル１４で放電が開始したとき、十分な放電電流を流すため、回収コンデンサＣ１で回収した電荷以上の電荷が必要になる。この放電に必要な電荷は、可変電圧源ＶＲ２から供給される。したがって、放電開始後に必要な放電電流を可変電圧源ＶＲ２から供給することができ、維持放電を安定に行うことが可能となる。
【００８８】
上記の構成により、回収された電荷と電圧源から供給される電荷とを用いてオーバーシュート波形を生成することができるので、電荷の回収効率を高く維持したまま、大きなオーバーシュート波形を安定して生成することができる。この結果、放電効率の向上と電荷回収効率の向上とを両立することができるので、消費電力を著しく低減することができ、実用上極めて有用な表示装置を提供することができる。なお、点灯率に応じて電圧を変化させない場合は、可変電圧源ＶＲ１，ＶＲ２の代わりに所定の電圧を出力する電圧源を用いてもよい。
【００８９】
次に、上記のように構成されたサステインドライバの維持パルスの制御動作について説明する。図５は、図３に示すサステインドライバの維持パルスの制御動作を説明するための波形図である。
【００９０】
あるサブフィールドにおいて、点灯率が大きい場合、サブフィールド点灯率信号ＳＬにより可変電圧源ＶＲ１，ＶＲ２の出力電圧がＶｓｕｓ／４より大きくされ、図５の（ａ）に示すように駆動パルスＰｓｕの振幅が大きくなる。したがって、放電開始電圧Ｖｓｔを超えるオーバーシュート部分が大きくなり、十分に放電電流を供給することが可能となり、点灯率が大きくなっても、安定に維持放電を行うことが可能となる。
【００９１】
一方、点灯率が小さい場合、サブフィールド点灯率信号ＳＬにより可変電圧源ＶＲ１，ＶＲ２の電圧がＶｓｕｓ／４より小さくされ、図５の（ｂ）に示すように駆動パルスＰｓｕの振幅が小さくなる。したがって、放電開始電圧Ｖｓｔを超えるオーバーシュート部分が小さくなり、点灯率が小さい場合に必要十分な放電電流を供給することができ、無駄な電力を供給することがなく、消費電力を低減することができる。
【００９２】
上記のように、図３に示すサステインドライバでは、サブフィールドごとの点灯率に応じて維持パルスＰｓｕのオーバーシュート波形の振幅を変化させることにより、点灯率が変化しても、常に安定した維持放電を行うことができるとともに、消費電力を低減することが可能となる。
【００９３】
次に、図１に示すプラズマディスプレイパネル装置に適用されるサステインドライバの第２の例について説明する。図６は、図１に示すプラズマディスプレイ装置に適用されるサステインドライバの第２の例の構成を示す回路図である。
【００９４】
図６に示すサステインドライバと図３に示すサステインドライバとで異なる点は、回収コイルＬ１，Ｌ２およびダイオードＤ４がサブフィールド点灯率信号ＳＬを受ける可変インダクタンス部ＶＬに変更され、可変電圧源ＶＲ１，ＶＲ２が電圧源Ｖ１，Ｖ２に変更された点である。その他の点は図３に示すサステインドライバと同様であるので、同一部分には同一符号を付し詳細な説明を省略し、以下異なる部分についてのみ詳細に説明する。
【００９５】
図６に示すように、可変インダクタンス部ＶＬは、ノードＮ１とノードＮ２との間に接続され、サブフィールド点灯率信号ＳＬに応じてインダクタンス値を変化させる。電圧源Ｖ１は、ノードＮ３とノードＮ４との間に接続され、電圧Ｖｓｕｓ／４を出力する。電圧源Ｖ２は、ダイオードＤ３のアノードと接地端子との間に接続され、電圧Ｖｓｕｓ／４を出力する。
【００９６】
本例では、可変インダクタンス部ＶＬの回収コイルＬＲ１〜ＬＲｎがインダクタンス手段に相当し、可変インダクタンス部ＶＬのスイッチＳＷ１〜ＳＷｎが可変インダクタンス手段に相当し、その他の点は、第１の例のサステインドライバと同様である。また、可変インダクタンス部ＶＬ、トランジスタＱ１，Ｑ２、ダイオードＤ１〜Ｄ３および電圧源Ｖ１，Ｖ２がオーバーシュート手段に相当し、電圧源Ｖ１が電圧供給手段に相当し、電圧源Ｖ２が補助電荷供給手段に相当する。
【００９７】
図７は、図６に示す可変インダクタンス部の一例を示す回路図である。図７に示す可変インダクタンス部ＶＬは、回収コイルＬＲ１〜ＬＲｎおよびスイッチＳＷ１〜ＳＷｎを含む。回収コイルＬＲ１およびスイッチＳＷ１はノードＮ２とノードＮ１との間に直列に接続され、以後同様に回収コイルＬＲ２〜ＬＲｎおよびスイッチＳＷ２〜ＳＷｎがそれぞれノードＮ２とノードＮ１との間に直列に接続される。スイッチＳＷ１〜ＳＷｎは、点灯率に応じた合成インダクタンス値になるように、サブフィールド点灯率信号ＳＬに応じてオンまたはオフされる。
【００９８】
回収コイルＬＲ１〜ＬＲｎのインダクタンス値としては、回収コイルＬＲ１のインダクタンス値をＬ０、回収コイルＬＲ２のインダクタンス値をＬ０／２、回収コイルＬＲ３のインダクタンス値をＬ０／４、…、回収コイルＬＲｎのインダクタンス値をＬ０／２n-1 とすると、スイッチＳＷ１〜ＳＷ２の開閉状態を種々組み合わせることにより回収コイルの数以上の種々のインダクタンス値を設定することができる。例えば、ｎ＝３の場合、Ｌ０、Ｌ０／２、Ｌ０／３、Ｌ０／４、Ｌ０／５、Ｌ０／６の６種類のインダクタンス値を設定することができる。
【００９９】
なお、可変インダクタンス部の構成は、上記の例に特に限定されず、サブフィールド点灯率信号ＳＬに応じてインダクタンス値を可変できるものであれば他の構成であってもよく、可飽和リアクトルおよび電流源等を用いて１次側巻線に流れる電流を電流源により制御して２次側巻線のインダクタンス値を変化させる可変インダクタンス部等を用いてもよい。
【０１００】
上記のように構成された第２の例のサステインドライバの維持パルスＰｓｕの制御動作について説明する。図８は、図６に示すサステインドライバの維持パルスＰｓｕの制御動作を説明するための波形図である。なお、図６に示すサステインドライバの基本動作は、図４を用いて説明した図３に示すサステインドライバの基本動作と同様であるので、詳細な説明を省略する。
【０１０１】
あるサブフィールドの点灯率が大きい場合、可変インダクタンス部ＶＬはサブフィールド点灯率信号ＳＬに応じてインダクタンス値を大きくし、図８の（ａ）に示すように、オーバーシュート波形の周期Ｔ１が長くなる。したがって、放電開始電圧Ｖｓｔを超えるオーバーシュート期間が長くなり、十分に放電電流を供給することが可能となり、点灯率が大きくなっても、安定に維持放電を行うことが可能となる。
【０１０２】
一方、点灯率が小さい場合、可変インダクタンス部ＶＬはサブフィールド点灯率信号ＳＬに応じてインダクタンス値を小さくし、図８の（ｂ）に示すように、オーバーシュート波形の周期Ｔ２が短くなる。したがって、放電開始電圧Ｖｓｔを超えるオーバーシュート期間が短くなり、点灯率が小さい場合に必要十分な放電電流を供給することができ、無駄な電力を供給することがなく、消費電力を低減することができる。
【０１０３】
上記のように、図６に示すサステインドライバでは、サブフィールドごとの点灯率に応じて維持パルスＰｓｕのオーバーシュート波形の周期を変化させることにより、点灯率が変化しても、常に安定した維持放電を行うことができるとともに、消費電力を低減することが可能となる。
【０１０４】
次に、図１に示すプラズマディスプレイパネル装置に適用されるサステインドライバの第３の例について説明する。図９は、図１に示すプラズマディスプレイパネル装置に適用されるサステインドライバの第３の例の構成を示す回路図である。
【０１０５】
図９に示すサステインドライバと、図３に示すサステインドライバとで異なる点は、トランジスタＱ３の代わりに電力回収回路ＰＲがノードＮ１に接続され、オーバーシュート回路ＯＳの可変電圧源ＶＲ２および回収コンデンサＣ１が接地電位の代わりに電力回収回路ＰＲからベース電圧Ｖｓｂを供給される点であり、その他の点は図３に示すサステインドライバと同様であるので、同一部分には同一符号を付し詳細な説明を省略し、以下異なる部分についてのみ詳細に説明する。
【０１０６】
図９に示すように、電力回収回路ＰＲは、トランジスタＱ４〜Ｑ７、ダイオードＤ５，Ｄ６、回収コイルＬ３および回収コンデンサＣ２を含む。
【０１０７】
電力回収回路ＰＲの出力端は、ノードＮ１に接続されている。トランジスタＱ４は、一端が電源端子Ｖ３に接続され、他端がノードＮ１に接続され、ゲートには制御信号Ｓ４が入力される。電源端子Ｖ３には、ベース電圧Ｖｓｂが印加される。電源端子Ｖ３は、ノードＮ５に接続され、オーバーシュート回路ＯＳの可変電圧源ＶＲ２および回収コンデンサＣ１にベース電圧Ｖｓｂを供給する。トランジスタＱ５は、一端がノードＮ１に接続され、他端が接地端子に接続され、ゲートには制御信号Ｓ５が入力される。
【０１０８】
回収コンデンサＣ２は、ノードＮ７と接地端子との間に接続される。ノードＮ７とノードＮ６との間にはトランジスタＱ６およびダイオードＤ５が直列に接続され、ノードＮ６とノードＮ７との間にはダイオードＤ６およびトランジスタＱ７が直列に接続されている。トランジスタＱ６のゲートには、制御信号Ｓ６が入力され、トランジスタＱ７のゲートには制御信号Ｓ７が入力される。回収コイルＬ３は、ノードＮ１とノードＮ６との間に接続される。
【０１０９】
本例では、電力回収回路ＰＲが基礎駆動手段に相当し、回収コイルＬ１，Ｌ２が第１のインダクタンス素子に相当し、トランジスタＱ６，Ｑ７、ダイオードＤ５，Ｄ６および回収コンデンサＣ２が共振基礎駆動手段に相当し、回収コイルＬ３が第２のインダクタンス素子に相当し、回収コンデンサＣ２が第２の電荷回収手段に相当し、その他の点は図３に示すサステインドライバと同様である。
【０１１０】
図１０は、図９に示すサステインドライバの維持期間の動作を示すタイミング図である。図１０には、図９のノードＮ１の電圧（維持パルスＰｓｕ）およびトランジスタＱ１，Ｑ２，Ｑ４〜Ｑ７に入力される制御信号Ｓ１，Ｓ２，Ｓ４〜Ｓ７が示される。なお、制御信号Ｓ１，Ｓ２，Ｓ４〜Ｓ７は、サブフィールド処理器３からサステインドライバ駆動制御信号ＵＳとして出力される信号である。
【０１１１】
まず、期間ＴＡにおいて、制御信号Ｓ５がロウレベルになりトランジスタＱ５がオフし、制御信号Ｓ６がハイレベルになりトランジスタＱ６がオンする。このとき、制御信号Ｓ１，Ｓ２，Ｓ４，Ｓ７はそれぞれロウレベルにあり、トランジスタＱ１，Ｑ２，Ｑ４，Ｑ７はオフしている。したがって、回収コンデンサＣ２がトランジスタＱ６およびダイオードＤ５を介してノードＮ６に接続され、回収コイルＬ３およびパネル容量ＣｐによるＬＣ共振によりノードＮ１の電圧が滑らかに上昇する。
【０１１２】
ここで、ノードＮ７の電圧は、ベース電圧Ｖｓｂの２分の１に設定され、ノードＮ１の電圧は、理論的には、ベース電圧Ｖｓｂまで上昇するが、回路内の抵抗成分によるエネルギー損失により電圧降下を起こし、実際にはＶｓｂよりやや低い電圧まで上昇する。このとき、回収コンデンサＣ２の電荷がトランジスタＱ６、ダイオードＤ５および回収コイルＬ３を介してパネル容量Ｃｐへ放出される。
【０１１３】
次に、期間ＴＢにおいて、制御信号Ｓ４がハイレベルになりトランジスタＱ４がオンし、制御信号Ｓ６がロウレベルになりトランジスタＱ６がオフする。したがって、電源端子Ｖ３がトランジスタＱ４を介してノードＮ１に接続され、ノードＮ１の電圧が急速に上昇し、ベース電圧Ｖｓｂに固定される。
【０１１４】
次に、期間ＴＣにおいて、制御信号Ｓ１がハイレベルになりトランジスタＱ１がオンし、制御信号Ｓ４がロウレベルになりトランジスタＱ４がオフする。したがって、可変電圧源ＶＲ１がトランジスタＱ１およびダイオードＤ１を介してノードＮ１に接続される。このとき、ダイオードＤ４は機能せず、回収コイルＬ１，Ｌ２がともにＬＣ共振動作に寄与する。したがって、回収コイルＬ１のインダクタンス値より小さい回収コイルＬ１，Ｌ２の合成インダクタンス値によりＬＣ共振が発生し、ＬＣ共振の周期が短く、ノードＮ１の電圧が急峻に上昇する。
【０１１５】
ここで、可変電圧源ＶＲ１，ＶＲ２の初期の出力電圧は、それぞれｖｏ／４に設定され、ノードＮ３の電圧は、ベース電圧Ｖｓｂ、可変電圧源ＶＲ１，ＶＲ２の出力電圧ｖｏ／４をそれぞれ加算した電圧（Ｖｓｂ＋ｖｏ／２）になり、ノードＮ１の電圧は、放電開始電圧Ｖｓｔを超え、理論的には、ベース電圧Ｖｓｂからさらにｖｏだけ上昇する（Ｖｓｂ＋ｖｏが上記のＶｓｕｓに相当する）。ただし、回路内の抵抗成分によるエネルギー損失により電圧降下を発生し、Ｖｓｂ＋ｖｏよりやや低い電圧まで上昇する（なお、実際には放電により放電開始電圧Ｖｓｔをやや越える電圧までしか上昇しない）。ノードＮ１の電圧が放電開始電圧Ｖｓｔを超えると、放電セル１４の維持放電が開始され、放電電流が上昇し始める。また、このとき、回収コンデンサＣ１の電荷が放出される。
【０１１６】
最大ピーク電圧に達した後、ノードＮ１の電圧は反転し、放電開始電圧Ｖｓｔより低くなる。このとき、放電電流は、ノードＮ１の電圧が最大ピーク電圧に達してからやや遅れてから極大値をとるとともに、そのタイミングにはノードＮ１の電圧がすでにピーク値より低くなっているため、従来の駆動回路による放電電流よりもその極大値が抑えられる。したがって、より少ない消費電力で維持放電を行うことが可能となる。以降、維持パルスＰｓｕは振動的に減衰しながら、ベース電圧Ｖｓｂよりｖｏ／２だけ高い電圧に収束する。
【０１１７】
次に、期間ＴＤにおいて、制御信号Ｓ１がロウレベルになりトランジスタＱ１がオフし、制御信号Ｓ２がハイレベルになりトランジスタＱ２がオンする。したがって、可変電圧源ＶＲ１および回収コンデンサＣ１がトランジスタＱ２およびダイオードＤ２を介してノードＮ２に接続される。このとき、回収コイルＬ２には直列にダイオードＤ４が接続されているため、回収コイルＬ２を流れる電流が制限され、回収コイルＬ２はＬＣ共振動作に寄与せず、回収コイルＬ１のみがＬＣ共振動作に寄与する。したがって、回収コイルＬ１，Ｌ２の合成インダクタンス値より大きい回収コイルＬ１のインダクタンス値によりＬＣ共振が発生し、ＬＣ共振の周期が長くなり、ノードＮ１の電圧が緩やかに降下する。
【０１１８】
ここで、ノードＮ４の電圧は、可変電圧源ＶＲ２によりベース電圧Ｖｓｂよりｖｏ／４だけ高い電圧に設定されている。したがって、ノードＮ１の電圧は、理論的には、ベース電圧Ｖｓｂまで降下するが、実際には、回路内の抵抗成分によりＶｓｂよりやや高い電圧まで降下する。また、このとき、パネル容量Ｃｐに蓄えられている電荷は、回収コンデンサＣ１に蓄えられ、電荷の回収が行われる。
【０１１９】
次に、期間ＴＥにおいて、制御信号Ｓ２がロウレベルになりトランジスタＱ２がオフし、制御信号Ｓ７がハイレベルになりトランジスタＱ７がオンする。したがって、回収コンデンサＣ２がトランジスタＱ７およびダイオードＤ６を介してノードＮ６に接続され、回収コイルＬ３およびパネル容量ＣｐによるＬＣ共振によりノードＮ１の電圧が滑らかに降下する。
【０１２０】
ここで、ノードＮ７の電圧は、回収コンデンサＣ２によりＶｓｂ／２に設定されている。したがって、ノードＮ１の電圧は、理論的には、接地電位まで降下するが、回路内の抵抗成分によるエネルギー損失により接地電位よりやや高い電圧まで降下する。また、このとき、パネル容量Ｃｐに蓄えられた電荷は、回収コイルＬ３、ダイオードＤ６およびトランジスタＱ７を介して回収コンデンサＣ２に蓄えられ、電荷の回収が行われる。
【０１２１】
次に、期間ＴＦにおいて、制御信号Ｓ５がハイレベルになりトランジスタＱ５がオンし、制御信号Ｓ７がロウレベルになりトランジスタＱ７がオフする。したがって、ノードＮ１がトランジスタＱ５を介して接地端子に接続され、ノードＮ１の電圧が急激に降下し、接地電位に固定される。
【０１２２】
上記の動作を維持期間において繰り返し行うことにより、電力回収回路ＰＲによる基礎駆動パルスとオーバーシュート回路ＯＳによる駆動パルスとを重畳した周期的な維持パルスＰｓｕを複数のサステイン電極１３に印加することができる。
【０１２３】
次に、上記のように構成されたサステインドライバの維持パルスの制御動作について説明する。図１１は、図９に示すサステインドライバの維持パルスの制御動作を説明するための波形図である。
【０１２４】
あるサブフィールドにおいて、点灯率が大きい場合、サブフィールド点灯率信号ＳＬにより可変電圧源ＶＲ１，ＶＲ２の出力電圧がｖｏ／４より大きくされ、図１１の（ａ）に示すように駆動パルスＰｓｕの上段の駆動パルスの振幅が大きくなる。したがって、放電開始電圧Ｖｓｔを超えるオーバーシュート部分が大きくなり、十分に放電電流を供給することが可能となり、点灯率が大きくなっても、安定に維持放電を行うことが可能となる。
【０１２５】
一方、点灯率が小さい場合、サブフィールド点灯率信号ＳＬにより可変電圧源ＶＲ１，ＶＲ２の電圧がｖｏ／４より小さくされ、図１１の（ｂ）に示すように駆動パルスＰｓｕの上段の駆動パルスの振幅が小さくなる。したがって、放電開始電圧Ｖｓｔを超えるオーバーシュート部分が小さくなり、点灯率が小さい場合に必要十分な放電電流を供給することができ、無駄な電力を供給することがなく、消費電力を低減することができる。
【０１２６】
上記のように、図９に示すサステインドライバでは、サブフィールドごとの点灯率に応じて維持パルスＰｓｕの上段の駆動パルスのオーバーシュート波形の振幅を変化させることにより、点灯率が変化しても、常に安定した維持放電を行うことができるとともに、消費電力を低減することが可能となる。
【０１２７】
次に、図１に示すプラズマディスプレイパネル装置に適用されるサステインドライバの第４の例について説明する。図１２は、図１に示すプラズマディスプレイ装置に適用されるサステインドライバの第４の例の構成を示す回路図である。
【０１２８】
図１２に示すサステインドライバと図９に示すサステインドライバとで異なる点は、回収コイルＬ１，Ｌ２およびダイオードＤ４がサブフィールド点灯率信号ＳＬを受ける可変インダクタンス部ＶＬに変更され、可変電圧源ＶＲ１，ＶＲ２が電圧源Ｖ１，Ｖ２に変更された点である。その他の点は図９に示すサステインドライバと同様であるので、同一部分には同一符号を付し詳細な説明を省略し、以下異なる部分についてのみ詳細に説明する。
【０１２９】
図１２に示すように、可変インダクタンス部ＶＬは、ノードＮ１とノードＮ２との間に接続され、サブフィールド点灯率信号ＳＬに応じてインダクタンス値を変化させる。電圧源Ｖ１は、ノードＮ３とノードＮ４との間に接続され、電圧ｖｏ／４を出力する。電圧源Ｖ２は、ダイオードＤ３のアノードとノードＮ５との間に接続され、電圧ｖｏ／４を出力する。可変インダクタンス部ＶＬの構成は、第２の例のサステインドライバに用いたものと同様である。
【０１３０】
本例では、可変インダクタンス部ＶＬの回収コイルＬＲ１〜ＬＲｎがインダクタンス手段に相当し、可変インダクタンス部ＶＬのスイッチＳＷ１〜ＳＷｎが可変インダクタンス手段に相当し、その他の点は、第３の例のサステインドライバと同様である。
【０１３１】
上記のように構成された第４の例のサステインドライバの維持パルスＰｓｕの制御動作について説明する。図１３は、図１２に示すサステインドライバの維持パルスＰｓｕの制御動作を説明するための波形図である。なお、図１２に示すサステインドライバの基本動作は、図１０を用いて説明した図９に示すサステインドライバの基本動作と同様であるので、詳細な説明を省略する。
【０１３２】
あるサブフィールドの点灯率が大きい場合、可変インダクタンス部ＶＬはサブフィールド点灯率信号ＳＬに応じてインダクタンス値を大きくし、図１３の（ａ）に示すように、維持パルスＰｓｕの上段の駆動パルスのオーバーシュート波形の周期Ｔ１が長くなる。したがって、放電開始電圧Ｖｓｔを超えるオーバーシュート期間が長くなり、十分に放電電流を供給することが可能となり、点灯率が大きくなっても、安定に維持放電を行うことが可能となる。
【０１３３】
一方、点灯率が小さい場合、可変インダクタンス部ＶＬはサブフィールド点灯率信号ＳＬに応じてインダクタンス値を小さくし、図１３の（ｂ）に示すように、維持パルスＰｓｕの上段の駆動パルスのオーバーシュート波形の周期Ｔ２が短くなる。したがって、放電開始電圧Ｖｓｔを超えるオーバーシュート期間が短くなり、点灯率が小さい場合に必要十分な放電電流を供給することができ、無駄な電力を供給することがなく、消費電力を低減することができる。
【０１３４】
上記のように、図１２に示すサステインドライバでは、サブフィールドごとの点灯率に応じて維持パルスＰｓｕの上段の駆動パルスのオーバーシュート波形の周期を変化させることにより、点灯率が変化しても、常に安定した維持放電を行うことができるとともに、消費電力を低減することが可能となる。
【０１３５】
次に、図１に示すプラズマディスプレイパネル装置に適用されるサステインドライバの第５の例について説明する。図１４は、図１に示すプラズマディスプレイパネル装置に適用されるサステインドライバの第５の例の構成を示す回路図である。
【０１３６】
図１４に示すサステインドライバと図９に示すサステインドライバと異なる点は、可変電圧源ＶＲ１，ＶＲ２が電圧源Ｖ１，Ｖ２に変更され、電源端子Ｖ３が可変電圧源ＶＲ３に変更された点であり、その他の点は図９に示すサステインドライバと同様であるので、同一部分には同一符号を付し詳細な説明を省略し、以下異なる部分についてのみ詳細に説明する。
【０１３７】
図１４に示すように、可変電圧源ＶＲ３は、ノードＮ５と接地端子との間に接続され、サブフィールド点灯率信号ＳＬにより出力電圧を変化させる。可変電圧源ＶＲ３は、初期の出力電圧としてベース電圧Ｖｓｂを出力する。電圧源Ｖ１は、ノードＮ３とノードＮ４との間に接続され、電圧ｖｏ／４を出力する。電圧源Ｖ２は、ダイオードＤ３のアノードとノードＮ５との間に接続され、電圧ｖｏ／４を出力する。
【０１３８】
本例において、可変電圧源ＶＲ３が可変電圧手段に相当し、その他の点は第３の例のサステインドライバと同様である。
【０１３９】
次に、上記のように構成されたサステインドライバの維持パルスの制御動作について説明する。図１５は、図１４に示すサステインドライバの維持パルスの制御動作を説明するための波形図である。なお、図１４に示すサステインドライバの基本動作は、図１０を用いて説明した図９に示すサステインドライバの基本動作と同様であるので、詳細な説明を省略する。
【０１４０】
あるサブフィールドにおいて、点灯率が大きい場合、サブフィールド点灯率信号ＳＬにより可変電圧源ＶＲ３の出力電圧がＶｓｂより大きくされ、図１５の（ａ）に示すように駆動パルスＰｓｕ下段の基礎駆動パルスの振幅（電圧ＶＨ）が大きくなる。したがって、放電開始電圧Ｖｓｔを超えるオーバーシュート部分が大きくなり、十分に放電電流を供給することが可能となり、点灯率が大きくなっても、安定に維持放電を行うことが可能となる。
【０１４１】
一方、点灯率が小さい場合、サブフィールド点灯率信号ＳＬにより可変電圧源ＶＲ３の電圧がＶｓｂより小さくされ、図１５の（ｂ）に示すように駆動パルスＰｓｕの基礎駆動パルスの振幅（電圧ＶＬ）が小さくなる。したがって、放電開始電圧Ｖｓｔを超えるオーバーシュート部分が小さくなり、点灯率が小さい場合に必要十分な放電電流を供給することができ、無駄な電力を供給することがなく、消費電力を低減することができる。
【０１４２】
上記のように、図１４に示すサステインドライバでは、サブフィールドごとの点灯率に応じて維持パルスＰｓｕの下段の基礎駆動パルスの振幅を変化させることにより、点灯率が変化しても、常に安定した維持放電を行うことができるとともに、消費電力を低減することが可能となる。
【０１４３】
なお、上記の説明では、ＡＤＳ方式によるサブフィールド分割を例に説明したが、アドレス・サステイン同時駆動方式によるサブフィールド分割等であっても同時に点灯される放電セルの点灯率を検出することにより本発明を同様に適用することが可能である。また、上記の説明では、立ち上がり時に放電させる正極性の駆動パルスを用いる表示装置について説明したが、立ち下がり時に放電させる負極性の駆動パルスを用いる表示装置にも本発明を同様に適用することが可能である。
【０１４４】
また、上記の説明では、ＡＣ型プラズマディスプレイパネル装置について説明したが、ＤＣ型等のプラズマディスプレイパネル装置にも本発明を同様に適用することができ、また、放電を制御することにより画像を表示する他の表示パネルを用いた表示装置、例えば、デジタルミラーデバイス（ＤＭＤ）を用いたデジタルライトプロセッシング装置（ＤＬＰ）等にも同様に適用可能である。
【０１４５】
【発明の効果】
本発明によれば、放電セルの点灯率に応じて駆動パルスのオーバーシュート波形を変化させているので、点灯率に応じて放電セルを最適に放電させることができ、点灯率が変化した場合でも、安定に放電動作を行わせることが可能となる。
【図面の簡単な説明】
【図１】本発明の一実施の形態によるプラズマディスプレイパネル装置の構成を示すブロック図
【図２】図１に示すプラズマディスプレイパネル装置に用いられるＡＤＳ方式を説明するための図
【図３】図１に示すプラズマディスプレイパネル装置に適用されるサステインドライバの第１の例の構成を示す回路図
【図４】図３に示すサステインドライバの維持期間の動作を示すタイミング図
【図５】図３に示すサステインドライバの維持パルスの制御動作を説明するための波形図
【図６】図１に示すプラズマディスプレイパネル装置に適用されるサステインドライバの第２の例の構成を示す回路図
【図７】図６に示す可変インダクタンス部の一例を示す回路図
【図８】図６に示すサステインドライバの維持パルスの制御動作を説明するための波形図
【図９】図１に示すプラズマディスプレイパネル装置に適用されるサステインドライバの第３の例の構成を示す回路図
【図１０】図９に示すサステインドライバの維持期間の動作を示すタイミング図
【図１１】図９に示すサステインドライバの維持パルスの制御動作を説明するための波形図
【図１２】図１に示すプラズマディスプレイパネル装置に適用されるサステインドライバの第４の例の構成を示す回路図
【図１３】図１２に示すサステインドライバの維持パルスの制御動作を説明するための波形図
【図１４】図１に示すプラズマディスプレイパネル装置に適用されるサステインドライバの第５の例の構成を示す回路図
【図１５】図１４に示すサステインドライバの維持パルスの制御動作を説明するための波形図
【図１６】従来のプラズマディスプレイ装置の放電セルの駆動方法を説明するための図
【図１７】従来のプラズマディスプレイパネル装置の維持パルスの一例を示す波形図
【符号の説明】
１  Ａ／Ｄコンバータ
２  映像信号−サブフィールド対応付け器
３  サブフィールド処理器
４  サブフィールド点灯率測定器
５  データドライバ
６  スキャンドライバ
７  サステインドライバ
８  ＰＤＰ
１１  アドレス電極
１２  スキャン電極
１３  サステイン電極
ＯＳ  オーバーシュート回路
ＰＲ  電力回収回路
Ｑ１〜Ｑ７  ＦＥＴ
Ｃ１〜Ｃ３  回収コンデンサ
Ｔ１〜Ｔ６  ダイオード
Ｌ１〜Ｌ３  回収コイル
ＶＲ１〜ＶＲ３  可変電圧源
【図１】
0004409000.tif 000002
【図２】
0004409000.tif 000003
【図３】
0004409000.tif 000004
【図４】
0004409000.tif 000005
【図５】
0004409000.tif 000006
【図６】
0004409000.tif 000007
【図７】
0004409000.tif 000008
【図８】
0004409000.tif 000009
【図９】
0004409000.tif 000010
【図１０】
0004409000.tif 000011
【図１１】
0004409000.tif 000012
【図１２】
0004409000.tif 000013
【図１３】
0004409000.tif 000014
【図１４】
0004409000.tif 000015
【図１５】
0004409000.tif 000016
【図１６】
0004409000.tif 000017
【図１７】
0004409000.tif 000018